(57)【要約】【課題】  簡単な作業で装飾部材をレンズカバー部に取り付けることができると共に、装飾部材の取付部分がシルエットとしてレンズカバー部に浮き出ることのない取付構造を有するパチンコ遊技機を提供する。【解決手段】  装飾部材としての先頭モール部材１３２の取着ピン１４０をレンズカバー部１３１の取着穴に挿入し、取着ピン１４０の裏面に突出した頭部に加熱工具１９１を押し当てるだけであるため、複雑な先頭モール部材１３２であってもレンズカバー部１３１の表面に極めて簡単確実に取り付けることができ、また、取り付けた後の取着ピン１４０の裏側頭部が扁平状に押し潰されるので、取付部分がシルエットとして透明又は半透明のレンズカバー部１３１に浮き出ることがない。【選択図】        図１８
2008200362.tif 000002
【特許請求の範囲】
【請求項１】
遊技者が透明板を介して遊技部を視認し得る遊技窓が形成される扉枠を備えた遊技機において、
前記扉枠は、前記遊技窓の周囲に設けられ且つ発光源と該発光源を収納するレンズカバーとを備えた扉レンズユニットを備え、
前記レンズカバーは、光を透過する透明若しくは半透明な合成樹脂によって形成されたレンズカバー部と、該レンズカバー部の表面に形成された装着部に装着される合成樹脂によって成形された装飾部材と、からなり、
前記レンズカバー部の装着部に複数の取着穴が穿設される一方、前記装飾部材の裏面に前記複数の取着穴に対応する取着ピンを当該装飾部材と一体的に成形し、
前記取着ピンを前記取着穴に挿入して前記レンズカバー部の裏面側に突出した前記取着ピンの突出頭部に加熱工具を押し当てて扁平状に熱変形させることにより、前記装飾部材を前記レンズカバー部の表面に止着したことを特徴とする遊技機。
【請求項２】
前記取着ピンが一体成形される装飾部材を成形するための合成樹脂は、前記取着穴が穿設成形されるレンズカバー部を成形するための合成樹脂の熱変形温度よりも低い熱変形温度を有する合成樹脂であり、
前記加熱工具の加熱温度は、前記装飾部材の熱変形温度よりも高く前記レンズカバー部の熱変形温度よりも低く設定されていることを特徴とする請求項１記載の遊技機。
【請求項３】
前記レンズカバー部は、その基部寸法に対して突出寸法が大きな断面楔形状に形成されると共に、その楔形状の先端稜部に沿って前記装着部が形成され、
前記装着部に沿って光を透過しない不透明合成樹脂によって成形される前記装飾部材を装着したことを特徴とする請求項１又は請求項２記載の遊技機。
【発明の詳細な説明】
【技術分野】
【０００１】
本発明は、遊技者が透明板を介して遊技部を視認し得る遊技窓が形成される扉枠を備えた遊技機に関する。
【背景技術】
【０００２】
従来、遊技者が透明板を介して遊技部を視認し得る遊技窓の周囲に、遊技機の正面を装飾するために発光源と該発光源を収納するレンズカバーとを備えた扉レンズユニットが設けられたものが数多く提案されている。これは、扉レンズユニットのデザインが遊技機の印象を遊技者に強く訴えるためであり、例えば、複数の色彩のレンズカバー部を組み合わせた扉レンズユニットを形成したり、あるいは透明若しくは半透明のレンズカバー部の表面に色彩や質感の異なる装飾部材を取り付けて扉レンズユニットを構成したりするものが提案されている。特に、透明若しくは半透明のレンズカバー部の表面に色彩や質感の異なる装飾部材を取り付ける扉レンズユニットとして、実開平４−４０６８７号公報（特許文献１）、特開２００４−２１６００５号公報（特許文献２）に示されるように、装飾部材に係合爪を形成する一方、該係合爪と係合する係合突起をレンズカバー部に形成する構造が提案されている。
【特許文献１】実開平４−４０６８７号公報（図４）
【特許文献２】特開２００４−２１６００５号公報（図７、図８）
【発明の開示】
【発明が解決しようとする課題】
【０００３】
上記特許文献１，２に記載される取付構造においては、係合爪と係合部との係合状態を確実に行うために、透明若しくは半透明のレンズカバー部の内部に係合爪を侵入させてレンズカバー部の裏面内部に形成された係合部と係合させる構造が主流となるため、レンズカバー部の内部に収納される発光源を点灯させたときに、内部に位置する係止爪及び係合部の係合部分のシルエットが透明若しくは半透明のレンズカバー部を介して遊技者に視認できてしまい、扉レンズユニットの美観を損なうという欠点があった。なお、装飾部材をネジ止めや接着剤でレンズカバー部の表面に取り付ける取付構造も考えられるが、ネジ止めの場合には、上記した係合爪及び係合部との取付構造と同様にある程度長さのあるネジ及びその止着部のシルエットが浮き出てしまうことがあり、接着剤による場合には、接着時間がある程度必要であるため、作業能率が悪く、また、装飾部材が複雑な形状の場合に、接合面に部分的な浮きが生じて接着強度が弱く剥がれ易いという場合も発生するという欠点がある。
【０００４】
本発明は、上記した不都合を解消するためになされたものであり、その目的とするところは、簡単な作業で装飾部材をレンズカバー部に取り付けることができると共に、装飾部材の取付部分がシルエットとしてレンズカバー部に浮き出ることのない取付構造を有する遊技機を提供することにある。
【課題を解決するための手段】
【０００５】
上記目的を達成するために、請求項１が採用した手段は、遊技者が透明板を介して遊技部を視認し得る遊技窓が形成される扉枠を備えた遊技機において、前記扉枠は、前記遊技窓の周囲に設けられ且つ発光源と該発光源を収納するレンズカバーとを備えた扉レンズユニットを備え、前記レンズカバーは、光を透過する透明若しくは半透明な合成樹脂によって形成されたレンズカバー部と、該レンズカバー部の表面に形成された装着部に装着される合成樹脂によって成形された装飾部材と、からなり、前記レンズカバー部の装着部に複数の取着穴が穿設される一方、前記装飾部材の裏面に前記複数の取着穴に対応する取着ピンを当該装飾部材と一体的に成形し、前記取着ピンを前記取着穴に挿入して前記レンズカバー部の裏面側に突出した前記取着ピンの突出頭部に加熱工具を押し当てて扁平状に熱変形させることにより、前記装飾部材を前記レンズカバー部の表面に止着したことを特徴とする。
【０００６】
また、請求項２が採用した手段は、請求項１記載の遊技機において、前記取着ピンが一体成形される装飾部材を成形するための合成樹脂は、前記取着穴が穿設成形されるレンズカバー部を成形するための合成樹脂の熱変形温度よりも低い熱変形温度を有する合成樹脂であり、前記加熱工具の加熱温度は、前記装飾部材の熱変形温度よりも高く前記レンズカバー部の熱変形温度よりも低く設定されていることを特徴とする。
【０００７】
また、請求項３が採用した手段は、請求項１又は請求項２記載の遊技機において、前記レンズカバー部は、その基部寸法に対して突出寸法が大きな断面楔形状に形成されると共に、その楔形状の先端稜部に沿って前記装着部が形成され、前記装着部に沿って光を透過しない不透明合成樹脂によって成形される前記装飾部材を装着したことを特徴とする。
【発明の効果】
【０００８】
請求項１に係る発明においては、装飾部材の取着ピンをレンズカバー部の取着穴に挿入し、取着ピンの裏面に突出した頭部に加熱工具を押し当てるだけであるため、複雑な装飾部材であってもレンズカバー部の表面に極めて簡単確実に取り付けることができ、また、取り付けた後の取着ピンの裏側頭部が扁平状に押し潰されるので、取付部分がシルエットとして透明又は半透明のレンズカバー部に浮き出ることがない。
【０００９】
また、請求項２に係る発明においては、加熱工具を取着ピンに押し当てて熱変形させる際に、加熱工具がレンズカバー部に接触したとしても、加熱工具の温度によってレンズカバー部が熱変形しないので、レンズカバー部と装飾部材の取付作業終了後の扉レンズユニットが不良品として使用できないことはない。
【００１０】
更に、請求項３に係る発明においては、断面楔形状のレンズカバー部の先端稜部に沿って不透明な合成樹脂製の装飾部材が設けられるので、発光源の消灯時においても、扉レンズユニットの輪郭が明確となり遊技者に与える印象を良くすることができる。
【発明を実施するための最良の形態】
【００１１】
〔パチンコ遊技機の全体構造〕
以下、図面を参照して本発明の好適な実施形態について、図面を参照して説明する。まず、図１乃至図８を参照して実施形態に係るパチンコ遊技機の全体について説明する。図１は、実施形態に係るパチンコ遊技機１の外枠２に対して本体枠３を開放し、本体枠３に対して扉枠５を開放した状態を示す斜視図であり、図２は、パチンコ遊技機の正面から見た斜視図であり、図３は、パチンコ遊技機１の正面図であり、図４は、パチンコ遊技機１の側面図であり、図５は、パチンコ遊技機１の平面図であり、図６は、パチンコ遊技機１の背面図である。なお、好適な実施形態において、遊技機としてパチンコ遊技機を例示して示すが、遊技部を視認できる遊技窓を有する扉枠を備えた遊技機であれば良く、例えば、スロットマシンやパロット遊技機等に本発明を適用することはできる。
【００１２】
図１乃至図６において、本実施形態に係るパチンコ遊技機１は、島（図示しない）に設置される外枠２と、該外枠２に開閉自在に軸支され且つ遊技盤４を装着し得る本体枠３と、該本体枠３に開閉自在に軸支され且つ前記遊技盤４に形成されて球が打ち込まれる遊技領域１１を遊技者が視認し得る遊技窓５１と該遊技窓５１の下方に配置され且つ遊技の結果によって払出される球を貯留する貯留皿としての皿ユニット８０とを備えた扉枠５と、を備えて構成されている。
【００１３】
外枠２には、その下方前方に表面が装飾カバー板によって被覆されている下部前面板６が固着されている。また、本体枠３には、上記したように遊技盤４が着脱自在に装着し得る他に、その裏面下部に打球発射装置３２と、遊技盤４を除く扉枠５や本体枠３に設けられる電気的部品を制御するための各種の制御基板が収納される基板ボックス（例えば、払出制御基板ボックス２８、端子基板ボックス２９、及び電源基板（図示しない）等）が一纏めに設けられている基板ユニット２７が取り付けられ、本体枠３の後面開口であって遊技盤４の裏面を覆うカバー体３０が着脱自在に設けられている。更に、扉枠５には、上記した皿ユニット８０の他に、遊技窓５１を閉塞するようにガラスユニット７０と、操作ハンドル８７とが設けられている。そして、本実施形態の特徴は、扉枠５に設けられる皿ユニット８０が１つであり、しかも、従来は本体枠３に設けられていた操作ハンドル８７が扉枠５の皿ユニット８０に設けられ、また、扉枠５と本体枠３とが正面から見てほぼ同じ方形の大きさであるため、正面から本体枠３が視認されなくなっている点である。以下、パチンコ遊技機１を構成する部材について説明する。
【００１４】
〔外枠〕
本実施形態に係る外枠２は、上下の上枠板及び下枠板と左右の側枠板とを、それぞれの端部を連結するための連結部材で連結することによって方形状に組み付けられるものである。上枠板と下枠板とは従来と同じ木製であり、左右の側枠板は、軽量金属、例えば、アルミニュウム合金の押出し成型板により構成されている。上枠板及び下枠板を従来と同じ木製で構成した理由は、パチンコ遊技機１を遊技場に列設される島に設置する場合に、島の垂直面に対し所定の角度をつけて固定する作業を行う必要があるが、そのような作業は上枠板及び下枠板と島とに釘を打ち付けて行われるため、釘を打ち易くするためである。一方、左右の側枠板をアルミニュウム合金の押出し成型板により構成した理由は、従来の木製に比べ強度を維持しつつ肉厚を薄く形成することができるため、側枠板の内側に隣接する本体枠３の遊技盤収納壁２０の正面から見たときの左右幅を広くすることができる。このため左右方向の寸法の大きな遊技盤４を本体枠３に装着することができることになり、結果的に遊技盤４の遊技領域１１を大きく形成することができるからである。また、外枠２の軸支側の上下には、本体枠３を開閉するための上支持金具７及び下支持金具８（正確には、下部前面板６の一側上面に沿って取固定されている）が固定されている。
【００１５】
〔本体枠〕
本体枠３は、図１に示すように、誘導レール１０によって囲まれた遊技領域１１が形成される遊技盤４を前面側から着脱自在に装着し得るように遊技盤収納壁２０が後方に向かって突出成型されていると共に、その遊技盤４の収納位置の下方に板部２１が形成されており、その板部２１の前面に発射レール２２が固定されている。また、本体枠３の裏面側には、図６に示すように、その下部に皿ユニット８０から発射レール２２に供給される打球を遊技盤４の遊技領域１１に向けて発射するための打球発射装置３２が固定されると共に、その上部から軸支側側方にかけて賞球を払い出すための賞球タンク２３とタンクレール部材２４と球通路ユニット２５と賞球ユニット２６と、外枠２に対する本体枠３の施錠及び本体枠３に対する扉枠５の施錠を行う錠装置３１と、遊技盤４を除く扉枠５や本体枠３に設けられる電気的部品を制御するための各種の制御基板（賞球ユニット２６を制御するための払出制御基板を収納する払出制御基板ボックス２８や外部情報端子基板や台間玉貸器と接続されるＣＲユニット端子基板を収納する端子基板ボックス２９）や電源基板等が一纏めに設けられている基板ユニット２７と、後面開口を覆うカバー体３０と、等の各種の部品が装着されている。
【００１６】
〔扉枠〕
次に、上記した本体枠３の前面側に開閉自在に設けられる扉枠５について、図７乃至図１８を参照して説明する。図７は、扉枠５の正面から見た分解斜視図であり、図８は、扉枠５の背面から見た分解斜視図であり、図９は、扉枠５の前面側に取り付けられる扉レンズユニット１００の正面から見た分解斜視図であり、図１０は、扉レンズユニット１００に設けられるレンズベース体１０１と冷陰極管１１１との関係を示す平面図であり、図１１は、冷陰極管１１１の支持構造を説明するための拡大平面図であり、図１２は、レンズベース体１０１と冷陰極管１１１との関係を示す斜視図であり、図１３は、扉レンズユニット１００を構成するレンズカバー１３０の分解斜視図であり、図１４乃至図１６は、レンズカバー１３０のうち上レンズカバー部１３１に装着用装飾部材としての先頭モール部材１３２を治具１９０を用いて取り付けるための平面図であり、図１７は、図１５のＡ−Ａ断面図であり、図１８は、図１６のＢ−Ｂ断面図である。
【００１７】
図７及び図８に示すように、扉枠５は、方形状に形成される扉枠本体５０の上部に縦長六角形状の遊技窓５１が形成され、該遊技窓５１の前面周囲に扉レンズユニット１００が取り付けられ、また、遊技窓５１の下方の板状部の前面に扉枠本体５０に皿ユニット８０が設けられ、その皿ユニット８０の一側（開放側）に操作ハンドル８７が突設固定されている。また、扉枠本体５０の裏面には、遊技窓５１の周囲に補強板金６０が固定され、遊技窓５１を閉塞するようにガラスユニット７０が取り付けられると共に、前記遊技窓５１の下方の板状部の裏面に、前記操作ハンドル８７に対応するジョイントユニット７４、装着台７２、及び枠装飾中継基板７５がそれぞれ取り付けられている。なお、ガラスユニット７０の裏面下部には、防犯機能を有する防犯カバー７１も装着されている。以下、扉板５を構成する上記の各構成部材のより詳細な構造について説明する。
【００１８】
<扉枠本体>
図７及び図８に示すように、扉枠本体５０は、合成樹脂によって額縁状に形成され、前述したように上方部に縦長六角形状の遊技窓５１が形成され、その遊技窓５１の下方が板状部となっている。遊技窓５１の上部左右には、後述するスピーカ２００を貫通させる円形状のスピーカ用開口５２が形成されている。なお、本実施形態に係る遊技窓５１は、従来に比べて上下方向及び左右方向の寸法が大きくなった遊技盤４が取り付けられるため、遊技窓５１の上下方向及び左右方向の寸法も大きくなっている。このため、後述する扉レンズユニット１００の形状が従来一般的に知られているものと大きく相違する。
【００１９】
一方、遊技窓５１の下方の板状部には、軸支側上部に皿ユニット８０の賞球連絡樋を貫通させる賞球通過口５３が開設され、その斜め中央寄りに皿ユニット８０に形成される球抜き通路を視認するための開口を閉塞ずる側面開口蓋（図示しない）を脱着するための蓋用開口５５が開設され、その蓋用開口５５の開放側の隣接する位置に球送りユニット７３を装着するための球送り開口５４が開設され、さらに球送り開口５４のさらに開放側寄りに前記施錠装置３１に設けられるシリンダー錠（図示しない）が貫通するための錠穴５６が開設されている。また、球送り開口５４の下方の板状部の裏面側にジョイントユニット７４を取り付けるためのジョイントユニット装着凹部５７が形成されている。また、板状部の前面中央には、前方に向って後述する皿ユニット８０の案内穴（図示しない）に挿入される係合突起５８が形成されている。
【００２０】
前述したように、扉枠本体５０の裏面側に補強板金６０、ガラスユニット７０、防犯カバー７１、装着台７２、ジョイントユニット７４、枠装飾中継基板７５に取り付けられる一方、扉枠本体５０の前面側に扉レンズユニット１００が取り付けられると共にその下方に皿ユニット８０が取り付けられる。ここで、本実施形態に係る扉レンズユニット１００の構造を説明する前に、扉枠本体５０の裏面側に取り付けられる補強板金６０、ガラスユニット７０、防犯カバー７１、装着台７２、ジョイントユニット７４、及び枠装飾中継基板７５、扉枠本体５０の前面側に取り付けられる皿ユニット８０について順次説明する。
【００２１】
<補強板金>
補強板金６０は、図７及び図８に示すように、扉枠本体５０の上辺部裏面に沿って取り付けられる上側補強板金と、扉枠本体５０の軸支側辺部裏面に沿って取り付けられる軸支側補強板金と、扉枠本体５０の開放側辺部裏面に沿って取り付けられる開放側補強板金と、扉枠本体５０の遊技窓５１の下辺裏面に沿って取り付けられる下側補強板金と、が相互にビス等で締着されて方形状に構成されるものである。上側補強板金は、所定幅を有して扉枠本体５０の横幅寸法とほぼ同じ長さに形成されている。軸支側補強板金も、所定幅を有して扉枠本体５０の縦長寸法とほぼ同じ長さに形成され、その上下端部には、その上面に上下方向に摺動自在に設けられる軸ピンを有する上軸支部６１と、その下面に軸ピンを有する下軸支部６２と、が一体的に形成されている。そして、上下の軸ピンが本体枠３の軸支側上下に形成される上軸支金具７及び下軸支金具８に軸支されることにより、扉枠５が本体枠３に対して開閉自在に設けられるものである。
【００２２】
<ガラスユニット（透明板ユニット）>
ガラスユニット７０は、図７及び図８に示すように、遊技窓５１よりも大きな開口を有する合成樹脂で成型した環状の縦長八角形状のユニット枠と、該ユニット枠の開口の外周前後面に２枚の透明板としてのガラス板（ガラス板でなくても透明な合成樹脂板でもよい。）を接着することにより、所謂セットガラス板として構成されるものである。また、ガラスユニット７０を扉枠５に取り付けるには、詳細に図示しないが、ガラスユニット７０のユニット枠から外部に突出される掛止突片を扉枠５に形成される係合受片に上方から掛け止めた後、ガラスユニット７０のユニット枠から外部に突出される止め片に対し扉枠５に回動自在に取り付けられる止めレバーを閉止位置に回動して係止することにより、ガラスユニット７０を扉枠５の裏面に簡単に取り付けることができる。
【００２３】
<防犯カバー>
防犯カバー７１は、図７及び図８に示すように、透明な合成樹脂によって左右の補強板金の間のガラスユニット７０の下方部を覆うような平板状に形成され、その前面側や後面側に遊技盤４の誘導レール１０に沿った円弧状の防犯用突片が突設されている。そして、防犯カバー７１をガラスユニット７０の下方部に沿って取り付けた状態では、防犯用突片がガラスユニット７０の下辺に沿って当接すると共に、扉枠５を閉じたときに、防犯用突片が遊技盤４の誘導レール１０の下方に上下重複状に侵入して外部からの不正具の侵入を防止するようになっている。
【００２４】
<装着台>
装着台７２は、図７及び図８に示すように、扉枠本体５０の板部裏面の上半分を覆うように取り付けられるものであり、防犯カバー７１と同様に透明な合成樹脂によって前方が開放した横長直方体状に形成されるものである。この装着台７２は、発射レール２２から発射された球をスムーズに遊技盤４に導くために、扉枠５を閉めたときに装着台７２の後面と本体枠３の板部２１とによって発射レール２２を挟持するように形成されるものである。ところで、本実施形態に係る装着台７２には、その開放側下部に球送りユニット７３を取り付ける球送りユニット取付凹部が形成されている。球送りユニット取付凹部に取り付けられる球送りユニット７３は、打球発射装置３２の打球槌の往復動差に対応して揺動する球送り部材が設けられ、この球送り部材の揺動動作によって皿ユニット８０の貯留部８１に貯留されていた球を発射レール２２の発射位置に１個ずつ供給するものである。
【００２５】
<枠装飾中継基板>
上記した装着台７２の下部の軸支側には、図７及び図８に示すように、枠装飾中継基板７５が取り付けられ、その枠装飾中継基板７５の後面を覆う中継基板カバー７６が取り付けられている。この枠装飾中継基板７５は、扉枠５に設けられる電飾部品や電気部品（冷陰極管１１１，１１７，１１８、ＬＥＤ基板１２２，１２４，１２６，スピーカ２００、操作ハンドル８７内に設けられるスイッチ、操作ボタンユニット８３等）からの配線が集約して接続され、その枠装飾中継基板７５からの配線が本体枠３の裏面に取り付けられる基板ユニット２７に組み込まれる扉中継基板等を介しての払出制御基板や遊技盤４に取り付けられる遊技制御基板に接続されている。
【００２６】
<皿ユニット>
図２、図７及び図８に示すように、皿ユニット８０は、賞球を貯留する貯留部８１と、遊技球を借り受ける際に操作する貸球ボタンユニット８２と、遊技において遊技者が参加するために操作される操作ボタンユニット８３と、貯留部８１の下流側から貯留された球を球抜きする第１球抜ボタン８４と、貯留部８１の中程から貯留された球を球抜きする第２球抜ボタン８６と、皿ユニット８０の内部に収納されるスピーカ（図示しない）の前面を覆うスピーカカバー８５とが設けられ、更に、開放側の下部に操作ハンドル８７が固定されている。操作ハンドル８７の裏面側には、図１に示すように、ジョイントユニット７４が固定され、操作ハンドル８７の回転動作がジョイントユニット７４によってスライド動作に変換され、そのスライド動作が扉枠５を閉じた状態で打球発射装置３２のスプリングによる弾発力の強弱を調整するスライド部材（図示しない）に伝達されるようになっている。
【００２７】
<扉レンズユニット>
次に、上記した扉枠本体５０の前面側の上部に取り付けられる扉レンズユニット１００の構成について主として図７乃至図１８を参照して説明する。扉レンズユニット１００は、図９に示すように、前面側を反射面とするリフレクタ１０２，１１３，１１４と、該リフレクタ１０２，１１３，１１４の前面及び内側に取り付けられる冷陰極管１１１，１１７，１１８及びＬＥＤ基板１２２，１２４，１２６と、前記リフレクタ１０２，１１３，１１４の前方を覆う光透過性のあるレンズカバー１３０と、該レンズカバー１３０に取り付けられるスピーカ２００と、前記レンズカバー１３０のベースとなるレンズベース体１０１と、から構成されている。
【００２８】
レンズベース体１０１は、平面視で前方が円弧で後方が直線の後面が開放した内部中空の三角形状に合成樹脂によって形成され、その中空内部に冷陰極管１１１，１１７，１１８に高電圧の電流を供給するインバータ基板１２１が収納固定されている。また、レンズベース体１０１の前面及び底面に当接するように断面Ｌ字状の上リフレクタ１０２が取り付けられている。この上リフレクタ１０２は、白色に着色されたポリカーボネート樹脂で形成されており、この白色着色樹脂によって反射率を高めた表面を有するものとしている。つまり、上リフレクタ１０２の表面は、上冷陰極管１１１及びＬＥＤ１２３から発せられた光を反射する反射面となっている。次に説明する側方リフレクタ１１３，１１４も同様に白色に着色されたポリカーボネート樹脂で形成されている。ところで、図１０に示すように、上リフレクタ１０２の両端部に、上冷陰極管１１１の両端を支持するための電極支持部１０７が形成され、さらに上リフレクタ１０２の垂直前面壁１０３の前面に適宜間隔を置いて上冷陰極管１１１を支持するために先端部がＵ字状に形成された陰極管支持片１０５が突設されている。これは、上冷陰極管１１１の中央が屈曲された「く」字状に屈曲して形成されているので、中央の屈曲部に応力がかかって破損しやすいため、両端の電極支持部１０７だけではなく適宜間隔を置いて陰極管支持片１０５で支持し、しかも、上冷陰極管１１１を陰極管支持片１０５に支持する際には、図１２（Ａ）に示すように、耐熱性ゴムパッキン１０６に挟んで上冷陰極管１１１が動かないように支持することにより、より破損し難い支持構造とすることができる。また、両端の電極支持部１０７は、図１０に示すように、上方が開放されていると共に、内側に向いている周壁に上冷陰極管１１１の端部を受け入れるように一辺が開口した電極挿入孔１０８が形成されており、この電極挿入孔１０８に上冷陰極管１１１の配線が接続された端部に取り付けられた弾性変形し得るゴム製スリーブ１１２を開口部分の対面方向である上方から挿入し、その後、電極支持部１０７の上方から電極蓋１０９を嵌め込むことにより、上冷陰極管１１１を上リフレクタ１０２の前面に装着することができる。このように上リフレクタ１０２の両端部にゴム製スリーブ１１２を装着し、そのゴム製スリーブ１１２部分を電極支持部１０７の電極挿入孔１０８に遊嵌状態で支持させることにより、図１１（Ｃ）に示すように、上冷陰極管１１１が衝撃等により振動しても、ゴム製スリーブ１１２がその振動を吸収する際に、上冷陰極管１１１の端部が電極支持部１０７の部分で揺動あるいは摺動して破壊応力が弱められるので、電極支持部１０７部分及び上冷陰極管１１１の屈曲部での上冷陰極管１１１の破損を防止することができる。なお、上リフレクタ１０２の左右両端には、スピーカ２００を貫通させるスピーカ貫通穴１１０が形成されている。
【００２９】
上記の上リフレクタ１０２の両端に側方リフレクタ１１３，１１４が垂下するように連結されている。この側方リフレクタ１１３，１１４も上リフレクタ１０２と同様に白色に着色されたポリカーボネート樹脂で形成されており、この白色着色樹脂によって反射率を高めた表面を有するものとなっている。つまり、側方リフレクタ１１３，１１４の表面は、側方冷陰極管１１７，１１８及びＬＥＤ１２５，１２７から発せられた光を反射する反射面となっている。側方リフレクタ１１３，１１４の前方に取り付けられる側方冷陰極管１１７，１１８は、直線状のものであるため、その側方冷陰極管１１７，１１８を支持する電極支持部１１５，１１６が、側方リフレクタ１１３，１１４の上下端部の２箇所に形成されている。もちろん、電極支持部１１５，１１６に側方冷陰極管１１７，１１８が支持される際には、上冷陰極管１１１と電極支持部１０７との関係を同じように、側方冷陰極管１１７，１１８の端部にゴム製スリーブ１１９，１２０が装着され、そのゴム製スリーブ１１９，１２０が電極支持部１１５，１１６に当接して支持されるようになっている。これにより、側方冷陰極管１１７，１１８が振動しても破損し難い支持構造とすることができる。
【００３０】
上記した上リフレクタ１０２及び側方リフレクタ１１３，１１４の内側（遊技窓５１を縁取る位置）には、多数のＬＥＤ１２３，１２５，１２７が実装されたＬＥＤ基板１２２，１２４，１２６が取り付けられている。このＬＥＤ基板１２２，１２４，１２６に実装されるＬＥＤ１２３，１２５，１２７によって次に説明するレンズカバー１３０の内周面（主として赤色レンズ部１３３，１５２，１７２）が装飾される。
【００３１】
上記したレンズベース体１０１と上冷陰極管１１１及び側方冷陰極管１１７，１１８が装着された上リフレクタ１０２及び側方リフレクタ１１３，１１４とは、レンズカバー１３０の裏面側に固定される。レンズカバー１３０は、前記レンズベース体１０１と上冷陰極管１１１が装着された上リフレクタ１０２に対応する上レンズカバー部１３１と、前記側方冷陰極管１１７，１１８が装着された側方リフレクタ１１３，１１４に対応する側方レンズカバー部１５０，１７０とが透過性の合成樹脂によって形成されている。そして、前述したように扉枠本体５０に形成される遊技窓５１の開口寸法が従来よりも大きく形成されているため、扉枠本体５０の外周辺と遊技窓５１の内周辺との間の寸法、換言するならば、レンズカバー１３０が取り付けられるための寸法（特に、左右両側部の寸法）が狭くなっているため、本実施形態におけるレンズカバー１３０は、上レンズカバー部１３１と側方レンズカバー部１５０，１７０のすべての最大前方突出部において、その基部寸法（扉枠本体５０に当接する部分の幅寸法）に対して前方に向って突出する突出寸法が大きくなるような断面楔形状となっている。より詳細に説明すると、上レンズカバー部１３１及び側方レンズカバー部１５０，１７０は、共に半透明な白色レンズ部として断面楔状の前方膨出部が合成樹脂で成形され、その白色レンズ部１３１，１５０，１７０の下部後端の遊技窓５１を縁取る内側に着色の異なる合成樹脂で成形された赤色レンズ部１３３（図１３参照）及び赤色レンズ部１５２，１７２（図１３参照）を取付片１４１，１６０，１８０によって連結して構成されるものである。そして、この赤色レンズ部１３３，１５２，１７２を前記上ＬＥＤ基板１２２及び側方ＬＥＤ基板１２４，１２６に直線状に実装される複数のＬＥＤ１２３，１２５，１２７によって照明するものである。
【００３２】
ところで、上レンズカバー部１３１は、内部が空洞で後方が開放した断面楔状に形成されると共に平面視においてブーメラン形状に構成されるものであり、前述した「く」字状に形成される上冷陰極管１１１とその楔状の先端部内面との距離が近くなるように形成されており、上レンズカバー部１３１のほぼ全体に相当する断面楔状の前方膨出面を上冷陰極管１１１で照明している。そして、上レンズカバー部１３１の楔状先端部外側の稜部に沿ってモール装着溝１３５が形成され、そのモール装着溝１３５の両端部に取付孔１３４が形成されている。また、モール装着溝１３５の内部には、適宜間隔を置いて複数の取着穴１３６が貫通して穿設されている。更に、上レンズカバー部１３１には、その両端にスピーカ２００が貫通するスピーカ穴１３７と、その後端上部辺に沿って複数の差込片１３８が突設されている。この差込片１３８は、レンズベース体１０１に形成された差込穴に差し込まれて上レンズカバー部１３１を固定するものである。
【００３３】
また、上記したモール装着溝１３５には、銀色に着色された不透明な合成樹脂で成形された装着用の装飾部材としての先頭モール部材１３２が装着されるようになっている。より詳細には、先頭モール部材１３２は、上レンズカバー部１３１の楔状先端部外側の稜部に沿った細長い「く」字形状に形成され、その両端部に前記取付孔１３４に嵌合される取付突起１３９が後方に向って一体的に突設されると共に前記取着穴１３６に対応する取着ピン１４０が適宜間隔を置いて後方に向って一体的に突設されている。この取着ピン１４０は、取着穴１３６に貫通されて上レンズカバー部１３１の内周面側（裏面）に突出するようになっている。そして、本実施形態においては、取着ピン１４０を含む先頭モール部材１３２に使用される合成樹脂として、その熱変形温度が上記した上レンズカバー部１３１に使用される合成樹脂の熱変形温度よりも低いものが使用されている点である。例えば、上レンズカバー部１３１を成形するために使用する合成樹脂としてポリカーボネート樹脂（所定荷重下における熱変形温度１３２〜１４３℃）を使用し、先頭モール部材１３２を成形するために使用する合成樹脂としてＡＢＳ樹脂（同じ荷重下における熱変形温度９０〜１０８℃）を使用している。
【００３４】
しかして、上レンズカバー部１３１に先頭モール部材１３２を取り付けるためには、図１４に示すように、上レンズカバー部１３１及び先頭モール部材１３２の前面形状に沿った凹形状を有する治具１９０に、先頭モール部材１３２を載置し、その後、図１５及び図１７に示すように、上方から上レンズカバー部１３１の取着穴１３６に治具１９０に載置された先頭モール部材１３２の取着ピン１４０が挿入されるように嵌め込む。そして、その後、図１６及び図１８に示すように、上レンズカバー部１３１の裏面側に突出している取着ピン１４０の突出頭部に加熱工具１９１の先頭を押し当ててその突出頭部を扁平状に熱変形させることによって、取着ピン１４０の突出頭部が取着穴１３６の周縁に密着してリベットによるカシメ加工と同様に先頭モール部材１３２を上レンズカバー部１３１に簡単確実に固定することができる。このとき、加熱工具１９１の加熱温度は、先頭モール部材１３２に使用される合成樹脂の熱変形温度よりも高く上レンズカバー部１３１に使用される合成樹脂の熱変形温度よりも低く設定されている。なお、加熱処理する際の加熱工具１９１として、図１６及び図１８に示す場合は、１個の取着ピン１４０に対応するものを示したが、同時に複数の取着ピン１４０を加熱処理する加熱工具を使用しても良い。
【００３５】
上記したように、本実施形態においては、先頭モール部材１３２の取着ピン１４０を上レンズカバー部１３１の取着穴１３６に挿入し、取着ピン１４０の裏面に突出した頭部に加熱工具１９１を押し当てるだけであるため、複雑な先頭モール部材１３２であっても上レンズカバー部１３１の表面に極めて簡単確実に取り付けることができ、また、取り付けた後の取着ピン１４０の裏側頭部が扁平状に押し潰されるので、取付部分がシルエットとして透明又は半透明の上レンズカバー部１３１に浮き出ることがない。
【００３６】
また、取着ピン１４０を含む先頭モール部材１３２に使用される合成樹脂として、その熱変形温度が上レンズカバー部１３１に使用される合成樹脂の熱変形温度よりも低いものが使用されており且つ加熱工具１９１の加熱温度が先頭モール部材１３２に使用される合成樹脂の熱変形温度よりも高く上レンズカバー部１３１に使用される合成樹脂の熱変形温度よりも低く設定されているので、加熱工具１９１を取着ピン１４０に押し当てて熱変形させる際に、加熱工具１９１が上レンズカバー部１３１に接触したとしても、加熱工具１９１の温度によって上レンズカバー部１３１が熱変形しないので、上レンズカバー部１３１と先頭モール部材１３２の取付作業終了後の扉レンズユニット１００が不良品として使用できないことはない。
【００３７】
更に、本実施形態においては、断面楔形状の上レンズカバー部１３１の先端稜部に沿って不透明な合成樹脂製の先頭モール部材１３２が設けられるので、発光源としての上冷陰極管１１１の消灯時においても、扉レンズユニット１００の輪郭が明確となり遊技者に与える印象を良くすることができる。
【００３８】
上記した上レンズカバー部１３１と同様に、該上レンズカバー部１３１の左右に連結される側方レンズカバー部１５０，１７０も、図１３に示すように、内部が空洞で後方が開放して断面楔状に形成される点で上レンズカバー部１３１と同様であるが、側方視において楔状の突出量が上レンズカバー部１３１に比べて少なく、また全体としてなだらかな曲線を有するブーメラン形状に構成されるものであり、前述した直線状に形成される側方冷陰極管１１７，１１８とその楔状の先端部内面との距離が近くなるように形成されている。そして、側方レンズカバー部１５０，１７０の楔状先端部外側には、銀色に着色された不透明な装着用装飾部材としての先頭モール部材１５１，１７１が固着されており、側方レンズカバー部１５０，１７０のほぼ全体に相当する断面楔状の前方膨出面を側方冷陰極管１１７，１１８で照明している。
【００３９】
そして、側方レンズカバー部１５０，１７０の楔状先端部外側の稜部に沿ってモール装着溝１５４，１７４が形成され、そのモール装着溝１５４，１７４の両端部に取付孔１５３，１７３が形成されている。また、モール装着溝１５４，１７４の内部には、適宜間隔を置いて複数の取着穴１５５，１７５が貫通して穿設されている。更に、側方レンズカバー部１５０，１７０には、その上端にスピーカカバー２０１を取り付けるためのスピーカカバー取付部１５６，１７６と、その下端に装飾カバー２０２を取り付けるための装飾カバー取付部１５７，１７７とが形成され、さらにその後端外側辺に沿って複数の差込片１８１（側方レンズカバー部１５０の差込片は図示されていない。）が突設されている。この差込片１８１は、側方リフレクタ１１３，１１４に形成された差込穴に差し込まれて側方レンズカバー部１５０，１７０を固定するものである。
【００４０】
また、上記したモール装着溝１５４，１７４には、銀色に着色された不透明な合成樹脂で成形された装着用装飾部材としての先頭モール部材１５１，１７１が装着されるようになっている。より詳細には、先頭モール部材１５１，１７１は、側方レンズカバー部１５０，１７０の楔状先端部外側の稜部に沿った細長い緩やかな「く」字形状に形成され、その両端部に前記取付孔１５３，１７３に嵌合される取付突起１５８，１７８が後方に向って一体的に突設されると共に前記取着穴１５５，１７５に対応する取着ピン１５９，１７９が適宜間隔を置いて後方に向って一体的に突設されている。この取着ピン１５９，１７９は、取着穴１５５．１７５に貫通されて側方レンズカバー部１５０，１７０の内周面側（裏面）に突出するようになっている。そして、本実施形態においては、取着ピン１５９，１７９を含む先頭モール部材１５１，１７１に使用される合成樹脂（例えば、ＡＢＳ樹脂）として、その熱変形温度が側方レンズカバー部１５０，１７０に使用される合成樹脂（例えば、ポリカーボネート樹脂）の熱変形温度よりも低いものが使用されている点は、上レンズカバー部１３１と同様である。
【００４１】
しかして、側方レンズカバー部１５０，１７０に先頭モール部材１５１，１７１を取り付けるためには、図１４〜図１８に示す上レンズカバー部１３１における取付構造と全く同じであるため、その詳細な説明は省略する。ただし、上レンズカバー部１３１に収納される上冷陰極管１１１と先頭モール部材１３２の位置関係と、側方レンズカバー部１５０，１７０に収納される側方冷陰極管１１７，１１８と先頭モール部材１５１，１７１の位置関係とは若干異なる。即ち、上レンズカバー部１３１における上冷陰極管１１１と先頭モール部材１３２とは、上レンズカバー部１３１の正面から見た場合に、前後方向にほぼ重複した状態となっているが、側方レンズカバー部１５０，１７０における側方冷陰極管１１７，１１８と先頭モール部材１５１，１７１とは、図３に示すように、先頭モール部材１５１，１７１がやや内側に湾曲した状態となっているため、側方レンズカバー部１５０，１７０の正面から見た場合に、先頭モール部材１５１，１７１の外側に側方冷陰極管１１７，１１８が位置することになる。これは、側方冷陰極管１１７，１１８から発せられる光が先頭モール部材１５１，１７１に邪魔されてパチンコ遊技機１の正面中央に位置する遊技者の眼に直接的に入らないように設計されているためである。つまり、遊技者の眼の位置から見ると側方冷陰極管１１７，１１８と先頭モール部材１５１，１７１とが前後方向に重複するようになっている。
【００４２】
なお、上記のようにしてレンズカバー部１３１，１５０，１７０に先頭モール部材１３２，１５１，１７１を取着した後、取付片１４１，１６０，１８０によって赤色レンズ部１３３，１５２，１７２をレンズカバー部１３１，１５０，１７０に取り付けることにより、レンズカバー１３０の組み付けが終了する。
【００４３】
上記のように構成される上レンズカバー部１３１及び側方レンズカバー部１５０，１７０と上リフレクタ１０２及び側方リフレクタ１１３，１１４との関係を説明すると、断面楔状に形成される上レンズカバー部１３１の裏面側に上リフレクタ１０２を取り付けた状態では、断面Ｌ字状に形成される上リフレクタ１０２が上レンズカバー部１３１の内部空間を、上冷陰極管１１１で光装飾される前方装飾空間と上ＬＥＤ基板１２２に直線状に実装される複数のＬＥＤ１２３で光装飾される内側装飾空間とに区画するように構成され、また、上リフレクタ１０２の垂直前面壁１０３の前面に上冷陰極管１１１が取り付けられ、上リフレクタ１０２の下部水平壁１０４の後方下部裏面に上ＬＥＤ基板１２２が取り付けられている。これによって断面楔形状に形成される上レンズカバー部１３１を前後方向に離れて位置する上冷陰極管１１１とＬＥＤ１２３とによって区画して照射することができるため、上冷陰極管１１１とＬＥＤ１２３とを上下方向に平行状に配置した場合に比較して上レンズカバーの後端上下幅寸法を小さく形成することができ、そのため、遊技窓５１の大きな扉枠５の表面に取り付けることが可能となる。また、上冷陰極管１１１で照射される前方装飾空間とＬＥＤ１２３で照射される内側装飾空間とが上リフレクタ１０２によって完全にセパレートされるので、それぞれの発光源による光装飾を遊技者が明確に認識することができる。なお、本実施形態においては、上冷陰極管１１１から照射された光は、直接上レンズカバー部１３１の前方膨出面に照射されると共に上リフレクタ１０２の垂直前面壁１０３によって反射された光も上レンズカバー部１３１の前方膨出面方向に照射され、ＬＥＤ１２３から照射された光は、直接上レンズカバー部１３１の赤色レンズ部１３３に照射されると共に上リフレクタ１０２の下部水平壁１０４によって反射された光も赤色レンズ部１３３方向に照射されるようになっている。
【００４４】
また、断面楔状に形成される側方レンズカバー部１５０，１７０の裏面側に側方リフレクタ１１３，１１４を取り付けた状態では、側方リフレクタ１１３，１１４が側方レンズカバー部１５０，１７０の内部空間を、側方冷陰極管１１７，１１８で光装飾される前方装飾空間とＬＥＤ基板１２４，１２６に直線状に実装される複数のＬＥＤ１２５，１２７で光装飾される内側装飾空間とに区画するように構成され、また、側方リフレクタ１１３，１１４の外側前面に側方冷陰極管１１７，１１８が取り付けられ、側方リフレクタ１１３，１１４の内側裏面にＬＥＤ基板１２４，１２６が取り付けられている。これによって断面楔形状に形成される側方レンズカバー部１５０，１７０を前後方向に離れて位置する側方冷陰極管１１７，１１８とＬＥＤ１２５，１２７とによって区画して照射することができるため、側方冷陰極管１１７，１１８とＬＥＤ１２５，１２７とを平行状に配置した場合に比較して側方レンズカバー部１５０，１７０の後端左右幅寸法を小さく形成することができ、そのため、遊技窓５１の大きな扉枠５の表面に取り付けることが可能となる。また、側方冷陰極管１１７，１１８で照射される前方装飾空間とＬＥＤ１２５，１２７で照射される内側装飾空間とが側方リフレクタ１１３，１１４によって完全にセパレートされるので、それぞれの発光源による光装飾を遊技者が明確に認識することができる。なお、本実施形態においては、側方冷陰極管１１７，１１８から照射された光は、直接側方レンズカバー部１５０，１７０の前方膨出面に照射されると共に側方リフレクタ１１３，１１４の垂直前面壁によって反射された光も側方レンズカバー部１５０，１７０の前方膨出面方向に照射され、ＬＥＤ１２５，１２７から照射された光は、側方レンズカバー部１５０，１７０の赤色レンズ部１５２，１７２に直接照射されると共に側方リフレクタ１１３，１１４の内側傾斜壁の裏面によって反射された光も赤色レンズ部１５２，１７２方向に照射されるようになっている。
【００４５】
上記した実施形態においては、リフレクタ１０２，１１３，１１４によって区画される空間に配置される発光源として、冷陰極管１１１，１１７，１１８とＬＥＤ１２３，１２５，１２７とし、それぞれに対応するレンズカバー部１３１，１５０，１７０として色彩の異なる合成樹脂で成形して連結しているので、レンズカバー部１３１，１５０，１７０を冷陰極管１１１，１１７，１１８とＬＥＤ１２３，１２５，１２７とによって好適に照射される構造及び色彩で成形することができるものである。もちろん、種類の異なる発光源として、冷陰極管１１１，１１７，１１８とＬＥＤ１２３，１２５，１２７の組み合わせに限らず、両者ともＬＥＤとして構成してもよい。
【００４６】
また、本実施形態において、扉枠５の前面周囲を装飾する照明手段として冷陰極管を使用している理由は、以下の通りである。扉枠５の前面周囲を装飾する際に、発光源とその発光源の前面に配置されるレンズカバーの距離をあまり大きく取ることができないという制約がある。この制約は、扉枠５は常に開閉されるため、あまり突出量を大きくすると、開放時における作業等に支障を来たすおそれがあるからである。しかして、発光源とレンズカバーとの間の距離があまりとれない状況において、従来のように、発光源として、ランプやＬＥＤを点在させた場合に、レンズカバーを通して視認できる光装飾は、連続した状態の光装飾が視認できるものではなく光が強い部分と弱い部分との斑模様に視認できるに過ぎない。これに対し、本実施形態のように、発光源として連続した冷陰極管１１１，１１７，１１８を使用した場合に、冷陰極管１１１，１１７，１１８とレンズカバー１３０との距離が短くても、レンズカバー１３０を通して視認できる光装飾は、連続した状態の美しい光装飾が視認できるものである。このため、正に遊技盤４を囲む領域が連続した美しい光装飾により縁取られた状態となるので、従来のパチンコ遊技機にはない装飾効果を奏することができる。
【００４７】
以上、本発明の実施形態について説明してきたが、上記の実施形態においては、装着用装飾部材として、断面楔形状の先端稜部に沿った細長い湾曲したものを示したが、必ずしも細長い湾曲したものでなくても、透明又は半透明な合成樹脂製のレンズカバー部の表面に取り付けられるものであれば、どのような形状のものであっても良い。また、熱変形温度が相違する合成樹脂としてポリカーボネート樹脂とＡＢＳ樹脂とを例示したが、熱変形温度が相違する２種類の合成樹脂であれば、どのような合成樹脂を使用しても良い。
【図面の簡単な説明】
【００４８】
【図１】実施形態に係るパチンコ遊技機の外枠に対して本体枠を開放し、本体枠に対して扉枠を開放した状態を示す斜視図である。
【図２】パチンコ遊技機の正面から見た斜視図である。
【図３】パチンコ遊技機の正面図である。
【図４】パチンコ遊技機の側面図である。
【図５】パチンコ遊技機の平面図である。
【図６】パチンコ遊技機の背面図である。
【図７】扉枠の正面から見た分解斜視図である。
【図８】扉枠の背面から見た分解斜視図である。
【図９】扉枠の前面側に取り付けられる扉レンズユニットの正面から見た分解斜視図である。
【図１０】扉レンズユニットに設けられるレンズベース体と冷陰極管との関係を示す平面図である。
【図１１】冷陰極管の支持構造を説明するための拡大平面図である。
【図１２】レンズベース体と冷陰極管との関係を示す斜視図である。
【図１３】扉レンズユニットを構成するレンズカバーの分解斜視図である。
【図１４】レンズカバーのうち上レンズカバー部に装着用装飾部材としての先頭モール部材を治具を用いて取り付けるための平面図である。
【図１５】同じく、上レンズカバー部に装着用装飾部材としての先頭モール部材を治具を用いて取り付けるための平面図である。
【図１６】同じく、上レンズカバー部に装着用装飾部材としての先頭モール部材を治具を用いて取り付けるための平面図である。
【図１７】図１５のＡ−Ａ断面図である。
【図１８】図１６のＢ−Ｂ断面図である。
【符号の説明】
【００４９】
１  パチンコ遊技機
２  外枠
３  本体枠
４  遊技盤
５  扉枠
１１  遊技領域
５０  扉枠本体
５１  遊技窓
７０  ガラスユニット（透明板）
１００  扉レンズユニット
１１１  上冷陰極管（発光源）
１１７  側方冷陰極管（発光源）
１１８  側方冷陰極管（発光源）
１２３  ＬＥＤ（発光源）
１２５  ＬＥＤ（発光源）
１２７  ＬＥＤ（発光源）
１３０  レンズカバー
１３１  上レンズカバー部
１３２  先頭モール部材（装飾部材）
１３５  モール装着溝
１３６  取着穴
１４０  取着ピン
１５０  側方レンズカバー部
１５１  先頭モール部材（装飾部材）
１５４  モール装着溝
１５５  取着穴
１５９  取着ピン
１７０  側方レンズカバー部
１７１  先頭モール部材（装飾部材）
１７４  モール装着溝
１７５  取着穴
１７９  取着ピン
１９０  治具
１９１  加熱工具
【図１】
2008200362.tif 000003
【図２】
2008200362.tif 000004
【図３】
2008200362.tif 000005
【図４】
2008200362.tif 000006
【図５】
2008200362.tif 000007
【図６】
2008200362.tif 000008
【図７】
2008200362.tif 000009
【図８】
2008200362.tif 000010
【図９】
2008200362.tif 000011
【図１０】
2008200362.tif 000012
【図１１】
2008200362.tif 000013
【図１２】
2008200362.tif 000014
【図１３】
2008200362.tif 000015
【図１４】
2008200362.tif 000016
【図１５】
2008200362.tif 000017
【図１６】
2008200362.tif 000018
【図１７】
2008200362.tif 000019
【図１８】
2008200362.tif 000020